(57)【特許請求の範囲】
【請求項１】
浴室に取り付けられる照明装置であって、
浴室内に向かって発光する面状発光体と、
この面状発光体の発光方向に所定の距離離して配置され、当該面状発光体を浴室側から覆う浴室側カバーと、
前記面状発光体から前記浴室側カバーまでの全長に亙って、前記面状発光体の発光部分を囲むように設けられた光反射性部材と
を備えている
ことを特徴とする照明装置。
【請求項２】
前記光反射性部材は、前記面状発光体の浴室内側の面と、前記浴室側カバーの前記面状発光体側の面とに当たって、前記面状発光体と前記浴室側カバーとの間の距離を保つスペーサによって構成されている
ことを特徴とする請求項１記載の照明装置。
【請求項３】
前記光反射性部材には、前記面状発光体と前記浴室側カバーと前記光反射性部材とに囲まれた空間内に通気するための通気孔が設けられている
ことを特徴とする請求項１又は請求項２記載の照明装置。
【請求項４】
前記面状発光体は、
前記浴室側カバーに対向配置され、この浴室側カバーとの対向面が発光面となった導光板と、
この導光板内に光を導入させる光源部と
を備え、
前記光反射性部材は前記導光板を囲むように設けられたものであり、
前記通気孔は、前記光源部により温められた空気を、前記導光板と前記浴室側カバーと前記光反射性部材とに囲まれた空間内に導入するものである
ことを特徴とする請求項３記載の照明装置。
【請求項５】
この照明装置は、浴室天井に取り付けられるものである
ことを特徴とする請求項１〜４のいずれか一項に記載の照明装置。
【請求項６】
請求項１〜５のいずれか一項に記載の照明装置を浴室に取り付けた取付構造であって、
前記照明装置の前記浴室側カバーの浴室内側の面が、前記浴室の内面と面一となるように配置される
ことを特徴とする照明装置の取付構造。
【発明の詳細な説明】
【技術分野】
【０００１】
本発明は、一般に、照明装置およびその取付構造、より詳細には、浴室に取り付けられる照明装置、および浴室天井に取り付けられる照明装置の取付構造に関する。
【背景技術】
【０００２】
特許文献１には、従来の照明装置が開示されている。この特許文献１記載の照明装置は、面発光機能を備えた建築用壁パネルである。この照明装置は、導光板と、導光板の周囲を囲む固定ベースと、固定ベースの前方に隙間を介して配置された光透過性表面材とを備えている。導光板の上下方向の両側には、光源が配置されている。導光板は、光源から発せられた光を各端面から取り込んで、前面から出射させる。
【０００３】
固定ベースは遮光性材料によって構成されている。これによって、固定ベースは、光反射面としても機能するように構成されている。
【先行技術文献】
【特許文献】
【０００４】
【特許文献１】特開２０１０−２２９６９３号公報
【発明の概要】
【発明が解決しようとする課題】
【０００５】
この照明装置は、光源から発せられた光は、導光板の内部に導入され、導光板背面の導光パターンに拡散反射して、導光板前面から出射する。導光板から出射した光の大部分は、そのまま光透過性表面材を透過するが、一部は固定ベースに反射した後に、光透過性表面材を透過する。
【０００６】
ところが、この照明装置では、固定ベースと光透過性表面材との間に隙間が存在しているため、部屋内部からみると、外周部分に影が生じたり、外周部分の光量が極端に少なくなったりして、見栄えを損なうという問題がある。
【０００７】
本発明は、上記事情に鑑みてなされたものであり、浴室に設置された照明装置において、光源の周囲に影が生じにくく、光ロスを低減させることができる照明装置およびその取付構造を提供することを目的とする。
【課題を解決するための手段】
【０００８】
本発明の照明装置は、浴室に取り付けられる照明装置であって、浴室内に向かって発光する面状発光体と、この面状発光体の発光方向に所定の距離離して配置され、当該面状発光体を浴室側から覆う浴室側カバーと、前記面状発光体から前記浴室側カバーまでの全長に亙って、前記面状発光体の発光部分を囲むように設けられた光反射性部材とを備えていることを特徴とする。
【０００９】
本発明の照明装置の取付構造は、前記照明装置の浴室側カバーの浴室内側の面が、前記浴室の内面と面一となるように配置されることを特徴とする。
【発明の効果】
【００１０】
本発明の照明装置によれば、浴室に設置された照明装置において、光源の周囲に影が生じにくく、光ロスを低減させることができる。
【００１１】
本発明の照明装置の取付構造によれば、浴室に設置された照明装置において、光源の周囲に影が生じにくく、光ロスを低減させることができる。
【図面の簡単な説明】
【００１２】
【図１】本実施形態の照明装置の取付構造の分解斜視図である。
【図２】本実施形態の取付枠の斜視図である。
【図３】本実施形態のフレーム本体の斜視図である。
【図４】図３のＡ−Ａ線断面図である。
【図５】図３のＢ−Ｂ線断面図である。
【図６】図３のＣ−Ｃ線断面図である。
【図７】本実施形態の照明装置の断面図である。
【図８】本実施形態の第１のスペーサの斜視図である。
【図９】本実施形態の第１のスペーサを取り付けた状態を示す断面図である。
【図１０】本実施形態の第２のスペーサの斜視図である。
【図１１】本実施形態の第２のスペーサを取り付けた状態を示す断面図である。
【図１２】本実施形態の照明装置の一部を破断した斜視図である。
【図１３】本実施形態の光源部の正面図である。
【図１４】本実施形態の照明装置の光源部周辺の要部断面図である。
【発明を実施するための形態】
【００１３】
以下、本発明の実施形態について添付図面に基づいて説明する。
【００１４】
本実施形態の照明装置２は、図１に示すように、浴室１の天井に取り付けられる。この照明装置２は面状に発光し、浴室１を照明する。照明装置２は、浴室１の天井の面積のおよそ半分を占めている。すなわち、本実施形態の天井は、およそ半分が発光するように構成されている。
【００１５】
浴室１は、天井パネル１１と、壁パネル１４と、床パネル（図示せず）とを有するユニットルームにより構成される。天井パネル１１は、壁パネル１４の上端に載せられて設置されている。天井パネル１１には、点検口１２と、浴室乾燥機を取り付けるための取着口１３とが設けられている。点検口１２は、浴室１から天井裏（天井パネル１１の上方）を点検するための開口である。ユーザーや作業者等は、点検口１２を介して、照明装置２や浴室乾燥機の点検やメンテナンスを行うことができる。
【００１６】
浴室１は天井を有する。本実施形態において天井は、浴室１内部の空間を形成する上面をいい、具体的には、天井パネル１１の下面と、照明装置２の下面とで構成される。天井には取付開口１５が設けられており、この取付開口１５を通して照明できるように照明装置２が取付開口１５上に取り付けられる。
【００１７】
取付開口１５は、照明装置２を取り付けるために天井に設けられた開口である。取付開口１５は、長さと幅（幅は長さよりも短い）とを有しており、これにより矩形状に形成されている。点検口１２は、取付開口１５の長さ方向の一方の端部側に偏った位置において、取付開口１５の幅方向に並ぶように配置されている。
【００１８】
なお、本実施形態の取付開口１５は、天井パネル１１の縁と壁パネル１４の縁とで構成されているが、天井パネル１１に設けられた貫通口により構成されてもよい。また、取付開口１５は矩形状でなくてもよい。
【００１９】
照明装置２は、天井パネル１１および壁パネル１４に取り付けられており、取付開口１５を通して浴室１を照明する。照明装置２は、取付枠３と、面状発光体６と、浴室側カバー９とを備えている。
【００２０】
取付枠３は、面状発光体６と浴室側カバー９とを天井に固定する。本実施形態の取付枠３は、取付開口１５を囲むように当該取付開口１５の周縁に取り付けられる。取付枠３は、図２に示すように、平面視矩形枠状に形成されている。取付枠３は、天井パネル１１と壁パネル１４とを相互に連結し、これによって、天井パネル１１と壁パネル１４とを補強する構造材としての機能も有する。取付枠３は、フレーム本体３１と、スペーサ５と、押さえ部材４７とを備えている。
【００２１】
フレーム本体３１は、図３に示すように、平面視矩形枠状をしており、取付枠３の主体を構成する。フレーム本体３１は、例えば、ステンレス等の金属製材料により構成される。フレーム本体３１は、一対の短フレーム３３と、一対の長フレーム３２とを有しており、短フレーム３３と長フレーム３２とが、互いに固着具で連結されて、枠組みされている。
【００２２】
短フレーム３３の拡大断面図を図４に示す。短フレーム３３は、縦面部３４ａと、壁固定部３５ａと、カバー支持部３６ａと、スペーサ保持部３７ａと、押さえ固定部４１ａとを備えている。縦面部３４ａは、取付開口１５の幅方向に平行な方向に長さを有している。
【００２３】
壁固定部３５ａは、フレーム本体３１を壁パネル１４に連結固定する。壁固定部３５ａは、縦面部３４ａの下端から下方に突出している。壁固定部３５ａには、固着具を挿通するための固着具挿通孔４２ａが設けられている。壁固定部３５ａは、内側の面に壁パネル１４の外面が近接するように配置され、この状態で、固着具挿通孔４２ａに固着具が通され、これによって、当該壁固定部３５ａが壁パネル１４に連結される。
【００２４】
カバー支持部３６ａは、浴室側カバー９を支持する（図７参照）。カバー支持部３６は、縦面部３４ａの下端から水平方向の内側に向かって突出している。カバー支持部３６ａの上面には、パッキンを介して浴室側カバー９が載置される。
【００２５】
スペーサ保持部３７ａは、スペーサ５を保持する。スペーサ保持部３７ａは、縦面部３４ａの上下方向の中間部分から水平方向の内側に向かって突出している。スペーサ保持部３７ａの先端には、スペーサ５を水平方向に位置決めする一対の突条４０ａが設けられている。
【００２６】
押さえ固定部４１ａは、面状発光体６の導光板６１を上方から押さえる押さえ部材４７（図７参照）を固定するための部分である。押さえ固定部４１ａは、縦面部３４ａの上端に設けられている。押さえ固定部４１ａには、上下方向にねじ込み可能なねじ孔４３ａが設けられている。
【００２７】
この短フレーム３３の長さ方向の両端には、図３に示すように、長フレーム３２が連結固定されている。本実施形態の照明装置２は、長フレーム３２として、壁パネル１４の上端に沿う第一フレーム４４と、面状発光体６の光源部７が取り付けられる第二フレーム４５とを備えている。
【００２８】
第一フレーム４４の拡大断面図を図５に示す。第一フレーム４４は、縦面部３４ｂと、壁固定部３５ｂと、カバー支持部３６ｂと、スペーサ保持部３７ｂと、押さえ固定部４１ｂとを備えている。
【００２９】
縦面部３４ｂは、取付開口１５の長さ方向に平行な方向に長さを有している。縦面部３４ｂには、短フレーム３３の縦面部３４ａに対し、固着具を介して連結される２つの固定孔９５が設けられている。この縦面部３４ｂには、短フレーム３３と同様に、壁固定部３５ｂ，カバー支持部３６ｂ，スペーサ保持部３７ｂ，押さえ固定部４１ｂが設けられる。なお、壁固定部３５ｂ，カバー支持部３６ｂ，スペーサ保持部３７ｂ，押さえ固定部４１ｂは、短フレーム３３における構造と同じであるため、説明を省略する（以下、同じ構造には、同じ数字にアルファベットを付した符号とし、同じ構造のものをまとめて説明する場合には、数字のみの符号で示す）。
【００３０】
図６には、第二フレーム４５の拡大断面図を示す。第二フレーム４５は、第一フレーム４４に対し、平行であり且つ取付開口１５の幅方向に離れて配置されている。第二フレーム４５は、縦面部３４ｃと、カバー支持部３６ｃと、スペーサ保持部３７ｃと、光源取付部４６とを備えている。
【００３１】
縦面部３４ｃは、取付開口１５の長さ方向に平行な方向に長さを有している。縦面部３４ｃの長さは、対向する壁パネル１４間の全長に亙って連続している。また、縦面部３４ｃには、天井パネル１１の端部が、固着具を介して連結される。
【００３２】
縦面部３４ｃの下端には、カバー支持部３６ｃが設けられる。カバー支持部３６ｃは、水平方向に延びており、その上面が、短フレーム３３のカバー支持部３６ａおよび第二フレーム４５のカバー支持部３６ｂの上面と同一平面上に位置する。このカバー支持部３６ｃの下面は、天井パネル１１の下面と面一となり、浴室１内に露出する。
【００３３】
スペーサ保持部３７ｃは、スペーサ５を保持する。スペーサ保持部３７ｃは、カバー支持部３６ｃの延出方向の中間から上方に向かって突出した立設部３８と、立設部３８の上端に設けられた保持片３９と、保持片３９の先端に設けられた一対の突条４０ｃとを備えている。
【００３４】
光源取付部４６は、光源部７が取り付けられる部分である。光源取付部４６は、縦面部３４の上端に設けられている。光源取付部４６は、縦面部３４ｃの上端から、第二フレーム４５側に向かって水平方向に突出している。
【００３５】
このような構成のフレーム本体３１には、スペーサ５が取り付けられる。スペーサ５は、図７に示すように、カバー支持部３６に浴室側カバー９が載置された状態で、この浴室側カバー９に載置される。そして、スペーサ５の上面には、面状発光体６の導光板６１が載置される。すなわち、スペーサ５は、面状発光体６と浴室側カバー９との間の距離を保つ。本実施形態の照明装置２は、スペーサ５として、第１のスペーサ５１と、光源部７の取付箇所に用いられる第２のスペーサ５７とを備えている。
【００３６】
第１のスペーサ５１は、図８に示すように、下横片５２ａと、縦片５３ａと、上横片５４ａとを備えている。下横片５２ａは、浴室側カバー９の周縁部に載置される。下横片５２ａの先端には、Ｌ字状の脚片５５ａが設けられている。脚片５５ａの下端は、フレーム本体３１のカバー支持部３６の上面に当たって接するように構成される。
【００３７】
縦片５３ａは、下横片５２ａの内側の端部から上方に向かって延出している。縦片５３ａの上端には、上横片５４ａが外側に向かって延出している。この上横片５４ａには、図９に示すように、面状発光体６の導光板６１が載せられる。従って、縦片５３ａは、導光板６１から浴室側カバー９までの全長に亙って設けられる。
【００３８】
図８に示すように、上横片５４ａの先端には、下方に突出した差し込み片５６ａが設けられている。これにより、上横片５４ａは断面Ｌ字状に形成される。この差し込み片５６ａは、フレーム本体３１のスペーサ保持部３７の一対の突条４０に嵌まり込む。これにより、第１のスペーサ５１は、フレーム本体３１の所定の位置に保持される。
【００３９】
この第１のスペーサ５１は、フレーム本体３１の短フレーム３３と長フレーム３２（第一フレーム４４，第二フレーム４５）とのうち、短フレーム３３と第一フレーム４４に取り付けられる。第１のスペーサ５１は、図９に示すように、フレーム本体３１のカバー支持部３６ａ，３６ｂに載置された浴室側カバー９上に、下横片５２ａが載置され、差し込み片５６ａがスペーサ保持部３７ａ，３７ｂに差し込まれて取り付けられる。
【００４０】
第２のスペーサ５７は、図１０に示すように、下横片５２ｂと、縦片５３ｂと、上横片５４ｂと、光源受け５８とを備えている。下横片５２ｂは、浴室側カバー９の周縁部に載置される。下横片５２ｂの先端には、Ｌ字状の脚片５５ｂが設けられている。脚片５５ｂの下端は、フレーム本体３１のカバー支持部３６の上面に近接対向する。
【００４１】
縦片５３ｂは、下横片５２ｂの内側の端部から上方に向かって延出している。縦片５３ｂの上端には、上横片５４ｂが外側に向かって延出している。この上横片５４ｂには、面状発光体６の導光板６１が載せられる。
【００４２】
下横片５２ｂの延出方向の途中には、下方に突出した差し込み片５６ｂが設けられる。差し込み片５６ｂは、第二フレーム４５のスペーサ保持部３７ｃの一対の突条４０ｃに嵌まり込む。これにより、第２のスペーサ５７は、フレーム本体３１の所定の位置に保持される。
【００４３】
光源受け５８は、上横片５４の延出方向の先端に設けられている。光源受け５８は、上方に開口した断面Ｕ字状に形成されており、光源部７の下端が収容される。
【００４４】
この第２のスペーサ５７は、図１１に示すように、第二フレーム４５に取り付けられる。第２のスペーサ５７は、フレーム本体３１のカバー支持部３６ｃに載置された浴室側カバー９上に、下横片５２ｂが載置され、差し込み片５６ｂがスペーサ保持部３７ｃに差し込まれて取り付けられる。
【００４５】
このような構成のスペーサ５は、光反射性部材５０によって構成されている。光反射性部材５０は、例えば、白色の合成樹脂や、ステンレスやアルミなどの光沢を有する金属材料が挙げられる。
【００４６】
また、光反射性部材５０は、少なくとも、縦片５３の中央に臨む面（以下、内周面という）が、光反射性の高い面処理がなされていればよいものとする。従って、光反射性部材５０には、内周面に白色塗装を施したものや、内周面に鏡面加工を施したものや、内周面に反射性の高いシールやシート等を貼り付けたものも含まれる。
【００４７】
スペーサ５の上横片５４の上面には、面状発光体６の導光板６１が載せられる。これにより、スペーサ５は、面状発光体６の発光部分を囲む。スペーサ５は、光反射性部材５０によって構成されているため、面状発光体６から発せられた光について、減衰をできる限り抑制して、効果的に反射させる。
【００４８】
面状発光体６は、浴室１内に向かって面状に発光する発光装置である。面状発光体６は、図１２に示すように、導光板６１と、光源部７とを備えている。なお、図中の符号９１は、導光板６１の上面に被せる上カバーである。
【００４９】
ここで、面状発光体６は、エッジライト式の面発光装置に限らず、同一平面上にＬＥＤからなる点光源を縦横に多数配列して、面状に発光させる発光装置も含む。
【００５０】
導光板６１は、光源部７から発せられた光を端面から取り込み、下面から出射して、室内を照明する。導光板６１は、アクリルやガラスなどの透明板によって構成される。導光板６１は、取付開口１５の幅方向に平行な方向に幅を有し、取付開口１５の長さ方向に平行な方向に長さを有し、これにより平面視矩形状に形成されている。また、導光板６１は、上下方向に厚さを有している。
【００５１】
導光板６１は、図１１に示すように、入射面６２と、拡散部６３と、出射面６４とを備えている。入射面６２は、光源部７から発せられた光を導光板６１内部に取り込むための端面である。入射面６２は、導光板６１の幅方向の一対の端面のうち、点検口１２が配置される側の端面により構成される。
【００５２】
拡散部６３は、入射面６２から導光板６１の内部に入射した光を拡散させ、出射面６４に向かって反射させる。拡散部６３は、導光板６１の上面に形成される。拡散部６３は、例えば、ドット状のパターンが導光板６１の上面に印刷されることで形成される。
【００５３】
出射面６４は、導光板６１の内部に取り込んだ光を外部に出射させるための面である。出射面６４は、導光板６１の下面によって構成される。
【００５４】
導光板６１は、図１２に示すように、スペーサ５上に配置された状態で、押さえ部材４７によって押さえられ、これにより取付枠３に固定される。導光板６１は、取付枠３に取り付けられると、天井に設けられた取付開口１５を上方から覆う。
【００５５】
光源部７は、取付枠３の第二フレーム４５の長さ方向に沿って配置されている。光源部７は、複数の本体部７１（本実施形態では３つ）を備えている。この複数の本体部７１は、取付枠３の第二フレーム４５に沿って直線状に配置される。
【００５６】
本体部７１は、第二フレーム４５の長さ方向に沿って延びている。本体部７１は、長手方向に直角な水平方向に向かって発光するように構成されている。
【００５７】
本体部７１は、図１３に示すように、基台部７２と、覆い部８０と、発光部７７とを備えている。基台部７２は、発光部７７を支持する受片７３と、受片７３の上端から外側に向かって突出した支持片７４と、受片７３の上端から内側に向かって突出した連結片７６とを備えている。
【００５８】
発光部７７は、基板７８と、この基板７８上に実装された複数のＬＥＤ７９（Light Emitting Diode）とを備えている。複数のＬＥＤ７９は、本体部７１の長さ方向に沿って一定の間隔をおいて配置されている。この発光部７７は、基台部７２に取り付けられ、覆い部８０によって覆われる。
【００５９】
覆い部８０は、発光部７７を側方から覆い、当該発光部７７を保護する。覆い部８０は、下端が受片７３に連結され、上端が連結片７６に連結されて取り付けられる。覆い部８０は、ＬＥＤ７９の上下両側に設けられた一対の突起８１と、この突起８１間に設けられた透過部８２とを備える。
【００６０】
突起８１は、覆い部８０から基板７８に向かって突出している。突起８１の先端は、基板７８に接触または近接対向している。透過部８２は、透明樹脂によって構成されている。なお、覆い部８０において、透過部８２以外の部位は、光反射性のある樹脂材（例えば、白色の樹脂材）によって構成されている。すなわち、覆い部８０は、２色成形品である。
【００６１】
また、覆い部８０には、導光板６１側に突出する押さえ突部８３が設けられている。押さえ突部８３は、光源部７が取付枠３に取り付けられると、導光板６１を上から押さえつけるように構成されている。この押さえ突部８３も白色の樹脂材によって構成される。
【００６２】
発光部７７が発光すると、その光は、大部分が透過部８２を通過して直接導光板６１に入射し、一部の光が、透過部８２とその他の部位との境界面および突起８１に反射して導光板６１に入射する。従って、本実施形態の照明装置２によれば、覆い部８０によって光ロスを抑制する。
【００６３】
入射した光は、導光板６１の内部において、全反射を繰り返し、導光板６１の拡散部６３に拡散反射して、出射面６４から出射する。すると、導光板６１の下面は面状に発光する。
【００６４】
導光板６１の出射面６４から出射した光は、スペーサ５に反射し、浴室側カバー９を透過し、浴室１内を照らす。このとき、スペーサ５は導光板６１から浴室側カバー９までの全長に亙って、面状発光体６の発光部分を囲むように設けられており、しかも、光反射性部材５０によって構成されている。このため、照明装置２は、光ムラを抑制した状態で、浴室１内を照明することができる。
【００６５】
浴室側カバー９は、透光性を有する樹脂板である。浴室側カバー９は、図７に示すように、面状発光体６の発光方向に所定の距離離して配置されており、面状発光体６を浴室１側から覆う。浴室側カバー９の下面は、浴室１の天井（浴室１の内面）に面一となるように配置される。浴室側カバー９は、例えば、シボ加工が施された拡散板であってもよいし、透明板であってもよい。
【００６６】
なお、ここでいう「面一」とは、厳密な意味での面一だけでなく、外観上、面一とみなせるものであれば、同じ概念に含まれるものとする。
【００６７】
ところで、本実施形態の照明装置２は、天井裏の空間に接するように設置されているため冷えやすい。このため、導光板６１は、浴室側カバー９に比べて温度が低くなりやすく、結露が生じやすいという問題がある。導光板６１の下面に結露が生じると、照明光に影が生じやすく、光ムラが生じやすい。
【００６８】
これを解消するべく、本実施形態の照明装置２は、光源部７によって温められた空気を、導光板６１と浴室側カバー９との間に導入し、これにより、導光板６１を積極的に温めて結露を防止するという工夫がなされている。
【００６９】
すなわち、図１４に示すように、第一フレーム４４の立設部３８には、厚み方向に貫通する貫通孔９４が設けられている。また、スペーサ５（第２のスペーサ５７）の縦片５３ｂには、通気孔９３が設けられている。この貫通孔９４と通気孔９３は、導光板６１と浴室側カバー９とスペーサ５とに囲まれた空間と、光源部７が配置される空間とを通じさせる。すなわち、通気孔９３は、導光板６１と浴室側カバー９とスペーサ５とに囲まれた空間内に、光源部７により温められた空気を導入するために設けられている。
【００７０】
光源部７が長時間発光すると、光源部７と第二フレーム４５との間の空間内の空気が温められる。すると、この温められた空気は、貫通孔９４と通気孔９３とを介して、導光板６１と浴室側カバー９とスペーサ５とに囲まれた空間に入り込む。
【００７１】
この空間に温められた空気が入り込むと、導入された温かい空気と、低温の導光板６１とが熱交換し、導光板６１の温度が上昇する。これにより、導光板６１に生ずる結露を抑制することができる。
【００７２】
また、光源部７によって温められた空気は、第二フレーム４５も温めることができる。これに加え、光源部７は、第二フレーム４５に熱的に接続されているため、第二フレーム４５に熱を伝導させることができる。これによって、本実施形態の光源部７は、フレーム本体３１のカバー支持部３６の下面に生じる結露の発生も抑制することができる。
【００７３】
なお、本実施形態の照明装置２は、対流の作用によって、温められた空気を、導光板６１と浴室側カバー９とスペーサ５とに囲まれた空間に流通させていたが、温められた空気を流通させるファンを設けてもよい。
【００７４】
以上説明したように、本実施形態の照明装置２は、次の第１の特徴を備える。第１の特徴では、浴室１内に向かって発光する面状発光体６と、面状発光体６を浴室１側から覆う浴室側カバー９と、面状発光体６の発光部分を囲むように設けられた光反射性部材５０とを備える。浴室側カバー９は、面状発光体６の発光方向に所定の距離離して配置される。光反射性部材５０は、面状発光体６から浴室側カバー９までの全長に亙って設けられる。
【００７５】
この第１の特徴を有する照明装置２によれば、面状発光体６と浴室側カバー９との距離を離すことで、光ムラを抑制することができるだけでなく、面状発光体６の周囲に影等が生じるのを抑制できる。すなわち、面状発光体６と浴室側カバー９との間の全長に亙って、光反射性部材５０が設けられているため、面状発光体６の発光部分の周囲に光が漏れる光ロスを防ぎ、また、発光部分の周囲における光の減衰を抑制できて、効果的な照明を行うことができる。
【００７６】
また、本実施形態の照明装置２は、以下に示す第２〜第４の特徴を有することが好ましい。なお、この第２〜第４の特徴は、本発明に必ずしも必要な構成ではなく、任意の構成である。
【００７７】
第２の特徴では、第１の特徴において、光反射性部材５０は、スペーサ５によって構成される。スペーサ５は、面状発光体６の浴室１内側の面と、浴室側カバー９の面状発光体６側の面とに当たって、面状発光体６と浴室側カバー９との間の距離を保つ。
【００７８】
この第２の特徴を有する照明装置２によれば、スペーサ５が面状発光体６の外周部全周に亙って設けられているため、面状発光体６と浴室側カバー９との距離を一定に保つことができる。
【００７９】
第３の特徴では、第１または第２の特徴において、光反射性部材５０に、面状発光体６と浴室側カバー９と光反射性部材５０とに囲まれた空間内に通気するための通気孔９３が設けられている。
【００８０】
この第３の特徴を有する照明装置２によれば、製造時において、面状発光体６と浴室側カバー９と光反射性部材５０とに囲まれた空間に高湿度の空気が封じ込まれた場合であっても、設置した状態においては当該空間に外側の空気を通気できる。このため、製造時の湿度に影響を受けず、設置状態では結露を抑制できる。
【００８１】
第４の特徴では、第３の特徴において、面状発光体６は、浴室側カバー９に対向配置され、この浴室側カバー９との対向面が発光面となった導光板６１と、この導光板６１内に光を導入させる光源部７とを備える。光反射性部材５０は導光板６１を囲むように設けられる。通気孔９３は、光源部７により温められた空気を、導光板６１と浴室側カバー９と光反射性部材５０とに囲まれた空間内に導入するものである。
【００８２】
この第４の特徴を有する照明装置２によれば、光源部７に生じる排熱を利用して、導光板６１に結露が生じるのを抑制することができる。
【００８３】
第５の特徴では、第１〜第４の特徴のいずれか１つの特徴において、照明装置２は、浴室１天井に取り付けられる。
【００８４】
この第５の特徴を有する照明装置２によれば、浴室１内を効果的に照明することができる。
【００８５】
また、本実施形態の照明装置２の取付構造は、次の第６の特徴を有する。第６の特徴では、第１〜第５の特徴のいずれか１つの特徴を有する照明装置２が、浴室１に取り付けられたものである。照明装置２の浴室側カバー９の浴室１内側の面（表面）が、浴室１内面と面一となるように配置される。
【００８６】
第６の特徴を有する照明装置２の取付構造によれば、浴室側カバー９の表面が浴室１内面と面一となっているため、浴室側カバー９が浴室１内面から突出して、外観を損なわせてしまうのを防ぐことができる。また、浴室側カバー９の表面と浴室１内面とが面一とすることで、ユーザーに浴室１を広く感じさせることができる。
【００８７】
なお、本実施形態の照明装置２は、浴室１の天井に設置されていたが、例えば、壁パネル１４に取付開口を設け、この取付開口に設置したものであってもよい。
【００８８】
また、本実施形態のフレーム本体３１において、スペーサ保持部３７はなくてもよい。従って、この場合、スペーサ５に通気孔９３さえ設けられていれば、導光板６１と浴室側カバー９と光反射性部材５０とに囲まれた空間内に、光源部７により温められた空気を導入することができる。つまり、立設部３８に設けられた貫通孔９４は、導光板６１と浴室側カバー９と光反射性部材５０とに囲まれた空間内に空気を導入するための必須構成要件ではない。
【符号の説明】
【００８９】
１      浴室
１１    天井パネル
１４    壁パネル
１５    取付開口
２      照明装置
３      取付枠
３１    フレーム本体
３４    縦面部
３５    壁固定部
３６    カバー支持部
３７    スペーサ保持部
４１    押さえ固定部
４４    第一フレーム
４５    第二フレーム
４６    光源取付部
４７    押さえ部材
５      スペーサ
５０    光反射性部材
５１    第１のスペーサ
５７    第２のスペーサ
６      面状発光体
６１    導光板
７      光源部
９      浴室側カバー
９３    通気孔
９４    貫通孔
９５    固定孔
【図１】
0006447905.tif 000002
【図２】
0006447905.tif 000003
【図３】
0006447905.tif 000004
【図４】
0006447905.tif 000005
【図５】
0006447905.tif 000006
【図６】
0006447905.tif 000007
【図７】
0006447905.tif 000008
【図８】
0006447905.tif 000009
【図９】
0006447905.tif 000010
【図１０】
0006447905.tif 000011
【図１１】
0006447905.tif 000012
【図１２】
0006447905.tif 000013
【図１３】
0006447905.tif 000014
【図１４】
0006447905.tif 000015